(57)【要約】【課題】操作レバーと消火栓弁を連結するケーブルと消火用ホースとが干渉しないようにした消火栓装置を提供する。【解決手段】本発明に係る消火栓装置１は、消火用ホース１７を収納する筐体３と、筐体３の前面パネル５に設けられて消火用ホース１７を引き出すための開口部５ａと、開口部５ａの下辺部を回動軸７として下方に向けて回動させて開扉する消火栓扉９と、消火栓扉９の内面側に回動軸７を跨ぐように配設されて筐体３の外部又は内部に設けられた消火栓弁を遠隔で操作するためのケーブル１１と、を備えたものであって、ケーブル１１に消火用ホース１７が当接するのを防止するためのケーブルカバー１５を有し、ケーブルカバー１５は、一辺側が消火栓扉９側または筐体３側に回動可能に取り付けられ、他辺側が固定されず、消火栓扉９の開閉動作に連動すると共に消火栓扉９の開扉時に回動軸７を跨ぐ位置に配置されるカバー体３７を備えたものである。【選択図】  図１
2020080891.tif 000002
【特許請求の範囲】
【請求項１】
消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に前記回動軸を跨ぐように配設されて前記筐体の外部又は内部に設けられた消火栓弁を遠隔で操作するためのケーブルと、を備えた消火栓装置であって、
前記ケーブルに前記消火用ホースが当接するのを防止するためのケーブルカバーを有し、
該ケーブルカバーは、一辺側が前記消火栓扉側または筐体側に回動可能に取り付けられ、他辺側が固定されず、前記消火栓扉の開閉動作に連動すると共に前記消火栓扉の開扉時に前記回動軸を跨ぐ位置に配置されるカバー体を備えてなることを特徴とする消火栓装置。
【請求項２】
消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を略半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の内面側に、前記消火栓扉の回動軸と平行な軸回りに回動自在に取り付けられ、他辺側がフリーな状態で前記消火栓扉の回動軸を跨ぐように延在するカバー体を備えてなることを特徴とする消火栓装置。
【請求項３】
前記前面パネルに、前記消火栓扉が全開したときに前記カバー体の他辺が係止する係止部を設けたことを特徴とする請求項２記載の消火栓装置。
【請求項４】
消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の下方の前面パネル側に、前記消火栓扉の回動軸と平行な軸回りに回動可能に取り付けられ、他辺側が前記消火栓扉の回動軸を跨ぐように延在するカバー体と、該カバー体を前記消火栓扉の扉側に回動させる方向に常時付勢する付勢手段とを備えてなることを特徴とする消火栓装置。
【請求項５】
消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の下方の前面パネル側に、前記消火栓扉の回動軸と平行な軸回りに回動可能に取り付けられ、他辺側が前記消火栓扉の回動軸を跨ぐように延在するカバー体と、該カバー体の前記他辺側を常時前記消火栓扉側に当接又は近接させた状態でガイドするガイド手段とを備えてなることを特徴とする消火栓装置。
【請求項６】
前記カバー体における他辺に、該他辺が当接する当接面との摩擦を軽減するための摩擦軽減部材が設けられていることを特徴とする請求項４又は５に記載の消火栓装置。
【請求項７】
前記カバー体は、その上面に、前記消火栓扉が全開した状態で、筐体外側に向かって斜め上方に傾斜する傾斜面部を有することを特徴とする請求項１乃至６のいずれか一項に記載の消火栓装置。
【発明の詳細な説明】
【技術分野】
【０００１】
本発明は、トンネル等に設置される消火栓装置に関する。
【背景技術】
【０００２】
例えば特許文献１には、本体を構成する前面パネルに下辺を回動軸として前傾方向に回動して開閉する消火栓扉を設け、該消火栓扉を開扉した状態で消火用ホースを引き出すようにした消火栓装置が開示されている。
そして、消火栓扉の内面側には、前記本体の外部に設けられた消火栓弁を、ケーブルを介して開閉操作する操作レバーが取り付けられている。
【０００３】
操作レバーと消火栓弁を連結するケーブルは、消火栓扉の内面側に取り付けられた操作レバーから引き出されて、消火栓扉の下辺部を通過して本体内部に引き入れられ、本体の外部へと引き回されている。
【先行技術文献】
【特許文献】
【０００４】
【特許文献１】特開２０１２−１８７２８３号公報
【発明の概要】
【発明が解決しようとする課題】
【０００５】
消火栓装置において消火用ホースは本体内に収納されており、消火活動時には、消火栓扉を開扉して引き出すため、消火用ホースの引き出し時には、消火栓扉の下辺を跨ぐようになる。
一方、上述したように、操作レバーが消火栓扉の内面側に取り付けられているため、操作レバーと消火栓弁を連結するケーブルは、必然的に消火栓扉の下辺を跨ぐようにして本体内に引き入れられる。
【０００６】
このため、消火活動時に消火用ホースとケーブルが干渉することがある。消火活動時の消火用ホースは充水されて、重量もあることから、ケーブルと消火用ホースが干渉、特にケーブルが消火用ホースと消火栓扉の下辺との間に挟まれると、ケーブルが切断されることが考えられる。
ケーブルが切断されると、操作レバーから消火栓弁の操作ができなくなり、大きな問題となる。
【０００７】
本発明はかかる課題を解決するためになされたものであり、操作レバーと消火栓弁を連結するケーブルと消火用ホースとが干渉しないようにした消火栓装置を提供することを目的としている。
【課題を解決するための手段】
【０００８】
（１）本発明に係る消火栓装置は、消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に前記回動軸を跨ぐように配設されて前記筐体の外部又は内部に設けられた消火栓弁を遠隔で操作するためのケーブルと、を備えたものであって、
前記ケーブルに前記消火用ホースが当接するのを防止するためのケーブルカバーを有し、
該ケーブルカバーは、一辺側が前記消火栓扉側または筐体側に回動可能に取り付けられ、他辺側が固定されず、前記消火栓扉の開閉動作に連動すると共に前記消火栓扉の開扉時に前記回動軸を跨ぐ位置に配置されるカバー体を備えてなることを特徴とするものである。
【０００９】
（２）また、消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を略半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の内面側に、前記消火栓扉の回動軸と平行な軸回りに回動自在に取り付けられ、他辺側がフリーな状態で前記消火栓扉の回動軸を跨ぐように延在するカバー体を備えてなることを特徴とするものである。
【００１０】
（３）また、上記（２）に記載のものにおいて、前記前面パネルに、前記消火栓扉が全開したときに前記カバー体の他辺が係止する係止部を設けたことを特徴とするものである。
【００１１】
（４）また、消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の下方の前面パネル側に、前記消火栓扉の回動軸と平行な軸回りに回動可能に取り付けられ、他辺側が前記消火栓扉の回動軸を跨ぐように延在するカバー体と、該カバー体を前記消火栓扉の扉側に回動させる方向に常時付勢する付勢手段とを備えてなることを特徴とするものである。
【００１２】
（５）また、消火用ホースを収納する筐体と、該筐体の前面パネルに設けられて前記消火用ホースを引き出すための開口部と、該開口部の下辺部を回動軸として下方に向けて回動させて開扉する消火栓扉と、該消火栓扉の内面側に設けられて前記筐体の外部又は内部に設けられた消火栓弁を、ケーブルを介して開閉操作する操作レバーと、を備えた消火栓装置であって、
筒体を半割した形状を有し、前記消火用ホースの引き出し時に前記ケーブルを覆うように配置されて前記ケーブルに前記消火用ホースが当接するのを防止するためのケーブルカバーを有し、
該ケーブルカバーは、一辺側が前記消火栓扉の下方の前面パネル側に、前記消火栓扉の回動軸と平行な軸回りに回動可能に取り付けられ、他辺側が前記消火栓扉の回動軸を跨ぐように延在するカバー体と、該カバー体の前記他辺側を常時前記消火栓扉側に当接又は近接させた状態でガイドするガイド手段とを備えてなることを特徴とするものである。
【００１３】
（６）また、上記（４）又は（５）に記載のものにおいて、前記カバー体における他辺に、該他辺が当接する当接面との摩擦を軽減するための摩擦軽減部材が設けられていることを特徴とするものである。
【００１４】
（７）また、上記（１）乃至（６）のいずれかに記載のものにおいて、前記カバー体は、その上面に、前記消火栓扉が全開した状態で、筐体外側に向かって斜め上方に傾斜する傾斜面部を有することを特徴とするものである。
【発明の効果】
【００１５】
本発明に係る消火栓装置は、ケーブルに消火用ホースが当接するのを防止するためのケーブルカバーを有し、該ケーブルカバーは、一辺側が消火栓扉側または筐体側に回動可能に取り付けられ、他辺側が固定されず、前記消火栓扉の開扉動作に連動すると共に前記消火栓扉の回動軸を跨ぐ位置に配置されるカバー体を備えたことにより、消火用ホースの引き出し時において、消火用ホースとケーブルが干渉することがなく、ケーブルの切断等の不具合が生ずることがない。
【図面の簡単な説明】
【００１６】
【図１】本発明の実施の形態１に係る消火栓装置の開扉状態の正面図である。
【図２】図１に示した消火栓装置における消火栓扉の開扉動作時のケーブルカバーの動作説明図である。
【図３】本発明の実施の形態２に係る消火栓装置の開扉状態の正面図である。
【図４】図３に示した消火栓装置における消火栓扉の開扉動作時のケーブルカバーの動作説明図である。
【図５】本発明の実施の形態３に係る消火栓装置の開扉状態の正面図である。
【図６】図５に示した消火栓装置における消火栓扉の開扉動作時のケーブルカバーの動作説明図である。
【発明を実施するための形態】
【００１７】
本実施の形態に係る消火栓装置１は、図１、図２に示すように、消火用ホース１７を収納する筐体３と、筐体３の前面パネル５に設けられて消火用ホース１７を引き出すための開口部５ａと、開口部５ａの下辺部を回動軸７として下方に向けて回動させて開扉する消火栓扉９と、消火栓扉９の内面側に設けられて筐体３の外部又は内部に設けられた消火栓弁（図示なし）を、ケーブル１１を介して開閉操作する操作レバー１３と、ケーブル１１を覆うケーブルカバー１５とを備えたものである。
以下、各構成を詳細に説明する。
【００１８】
＜筐体＞
筐体３は、図１、図２に示すように、矩形の箱状からなり、筐体３内には内巻きに巻き回された消火用ホース１７を収納するホース収納部１９及びホース収納部１９に収納された消火用ホース１７を引き出すための中央開口部２１が設けられている。
ホース収納部１９は、筐体３の内壁上面から内壁下面に至る略Ｌ字状に屈曲した２枚の帯板２５を備えて構成されている。
そして、２枚の帯板２５の間に中央開口部２１が形成され、ここから消火用ホース１７が引き出される。
また、図１に示すように、筐体３の図中左側には、消火器２７を収納するための消火器収納部２９が設けられている。
【００１９】
前面パネル５は、筐体３の前面を構成するものであり、中央開口部２１の前方に位置する部位に開口部５ａが設けられ、この開口部５ａを開閉可能に消火栓扉９が取り付けられている。
【００２０】
＜消火栓扉＞
消火栓扉９は板状の金属板から構成された横長の矩形状をしており、上述のように前面パネル５の開口部５ａを開閉可能に取り付けられている。
消火栓扉９は、閉止状態において下辺（以下、この部分を消火栓扉９の下辺と呼ぶ）に回動軸（蝶番）７が設けられ、開口部５ａを閉止状態（図２（ａ）参照）から、図１、図２（ｃ）に示すように、略１８０°開くことができる。
消火栓扉９の内面側には、消火用ホース１７の先端の消火ノズル３３を着脱可能に固定するノズル固定部３５が設けられている。
【００２１】
＜操作レバー＞
操作レバー１３は、消火栓扉９の内面側に設けられて、消火用ホース１７に消火水を供給する給水管の途中に設置された消火栓弁（図示なし）を遠隔操作するものである。
操作レバー１３と図示しない消火栓弁との間は、ケーブル１１を介して連結されている。
ケーブル１１は、操作レバー１３の基端側のプーリーに巻き回しされた後、消火栓扉９の内面側から回動軸７を跨いで、筐体３の底部に案内され、該底部を図中左側から右端に至った後、筐体３の底部から外方へと配設されている。
なお、ケーブル１１の配設経路は、特に限定されるものではなく、例えば、操作レバー１３の基端側のプーリーに巻き回しされた後、消火栓扉９の内面側から回動軸７を跨いで、筐体３の図中左側壁に案内され、左側壁に沿って筐体天板部に至った後、筐体天板に沿って図中右端へと案内され、図中右側壁に沿って下方に案内され、筐体３の底部から外方へ配設するようにしてもよい。
【００２２】
＜ケーブルカバー＞
ケーブルカバー１５は、消火用ホース１７の引き出し時にケーブル１１を覆うように配置されてケーブル１１に消火用ホース１７が当接するのを防止するためのものである。
ケーブルカバー１５は、図１、図２に示すように、筒体を軸方向に沿って略半割した形状を有し、半割した開口の一辺側が消火栓扉９の内面側に、消火栓扉９の回動軸７と平行な軸回りに回動自在に取り付けられ、他辺側がフリーな状態で消火栓扉９の回動軸７を跨ぐように延在するカバー体３７を備えて構成されている。他辺側がフリーな状態とは、他辺が拘束されておらず、かつ一辺側が回動自在であることから、ブラブラと自由に揺れ動くことができる状態を意味している。他辺側がフリーな状態であるため、カバー体３７は、常時、重力によって他辺側が下方に位置しようとする姿勢になる。
【００２３】
カバー体３７の他辺すなわちフリーな状態にある辺には、内側に屈曲するように形成された係止片３７ａが設けられている。
この係止片３７ａは、消火栓扉９を全開したときに、前面パネル５に設けられた係止部３９に係止して、カバー体３７が開放するのを防止する機能を有するものである。
また、カバー体３７は、その上面に、消火栓扉９が全開した状態で、筐体３外側に向かって斜め上方に傾斜する傾斜面部３７ｂを有している。なお、本発明の傾斜面部は平坦面である必要はなく、円弧状の面部であってもよい。
【００２４】
上記のように構成された本実施の形態の消火栓装置１について、消火栓扉９の開扉動作時のケーブルカバー１５の動作を図２に基づいて説明する。
消火栓扉９の閉止状態では、図２（ａ）に示すように、カバー体３７は、消火栓扉９に連結された一辺側を上部とし、フリーな状態の他辺を下部として、消火栓扉９にぶら下がった状態になっている。この状態でも、図２（ａ）の拡大図に示されるように、カバー体３７の一辺は消火栓扉９の回動軸７の上方にあり、カバー体３７の他辺は回動軸７を跨いでその下方まで延出している。
【００２５】
消火栓扉９を開扉すると、図２（ｂ）に示すように、カバー体３７はその一辺が回動自在になっているので、その回動自在の軸が消火栓扉９の回動軸７を中心として旋回軌道を描いて移動する。このとき、カバー体３７の他辺は重力により下方に垂れ下がった状態を保ちつつ引き上げられていく。
【００２６】
消火栓扉９が全開した状態では、図１、図２（ｃ）、に示すように、カバー体３７は開口側を下方に向けてケーブル１１を覆うように配置される。そして、カバー体３７の係止片３７ａが前面パネル５に設けられた係止部３９に係止する。
【００２７】
消火栓扉９の全開状態では、ケーブル１１がカバー体３７に覆われるので、消火用ホース１７を引き出したときに、消火用ホース１７とケーブル１１との干渉が防止される。また、カバー体３７の係止片３７ａが係止部３９に係止していることで、消火用ホース１７からカバー体３７を開く方向の力が作用しても、カバー体３７が開くことがない。さらに、カバー体３７には外方向に傾斜する傾斜面部３７ｂが設けられているので、消火用ホース１７を外方にガイドするガイド面となって、消火用ホース１７の引き出しの円滑化を図っている。
【００２８】
以上のように、本実施の形態によれば、ケーブルカバー１５を設けたことで、消火用ホース１７とケーブル１１との干渉を防止できる。
しかも、一辺を消火栓扉９に回動自在に取り付け、消火栓扉９の開閉動作に連動する構造であるため、消火栓扉９の閉止時にはカバー体３７が筐体３内で内方に向かって出っ張ることがなく、筐体３の薄型化を阻害することもない。
【００２９】
［実施の形態２］
実施の形態２に係る消火栓装置４１の基本構成は、図３、図４に示すように、実施の形態１と同様であり、ケーブルカバーの構成のみが異なるので、以下においてはケーブルカバーについて説明する。なお、実施の形態１と同様の部分については、同一の符号を付して説明を省略する。
本実施の形態のケーブルカバー４３は、筒体を半割した形状を有し、消火用ホース１７の引き出し時にケーブル１１を覆うように配置されてケーブル１１に消火用ホース１７が当接するのを防止するためのものである点は、実施の形態１と同様である。
【００３０】
しかし、本実施の形態のケーブルカバー４３は、実施の形態１と異なる構成として以下の構成を備えている。
すなわち、実施の形態１のカバー体３７はその一辺側が消火栓扉９側に回動自在に取り付けられていたが、本実施の形態のカバー体４５は、一辺側が消火栓扉９の下方にある前面パネル５側に、消火栓扉９の回動軸７と平行な軸回りに回動可能に取り付けられている。そして、カバー体４５の他辺側は消火栓扉９の回動軸７を跨ぐように延在すると共に、カバー体４５を消火栓扉９の扉側（図４（ａ）中の矢印参照）に回動させる方向に常時付勢する付勢手段としての捻りバネ（図示なし）が設けられている。また、カバー体４５における他辺には、他辺が当接する当接面との摩擦を軽減するための摩擦軽減部材４７が設けられている。
【００３１】
上記のように構成された本実施の形態の消火栓装置４１について、消火栓扉９の開扉動作時のケーブルカバー４３の動作を図４に基づいて説明する。
カバー体４５は、一辺側が消火栓扉９の下方の前面パネル５側に回動可能に連結され、かつ消火栓扉９の扉側に回動させる方向に常時付勢されているので、消火栓扉９の閉止状態では、図４（ａ）に示すように、カバー体４５の他辺が消火栓扉９側、より詳しくは消火栓扉９の屈曲枠部４９に当接した状態になっている。
【００３２】
消火栓扉９を開扉すると、図４（ｂ）に示すように、カバー体４５はその一辺が回動可能になっており、かつカバー体４５は常時、消火栓扉９側に回動する方向に付勢されているので、カバー体４５の他辺が常に消火栓扉９側との当接状態を維持した状態で消火栓扉９の開扉に追従（連動）する。
消火栓扉９の開扉動作時には、カバー体４５の他辺は消火栓扉９の屈曲枠部４９とが接触しながら移動するが、他辺に摩擦軽減部材４７が設けられていることで、摩擦が大きくなることなく円滑な動作が実現されている。
【００３３】
消火栓扉９が全開した状態では、図３、図４（ｃ）、に示すように、カバー体４５がケーブル１１を覆うように配置される。
ケーブル１１がカバー体４５に覆われるので、実施の形態１と同様に、消火用ホース１７を引き出したときに、消火用ホース１７とケーブル１１との干渉が防止される。また、付勢手段がカバー体４５を常時消火栓扉９側に付勢しているので、消火用ホース１７によってカバー体４５を開く方向の力が作用しても、カバー体４５が開くことがない。さらに、カバー体４５には外方向に傾斜する傾斜面部４５ｂが設けられているので、消火用ホース１７の引き出しの円滑化を図っている点は実施の形態１と同様である。
【００３４】
以上のように、本実施の形態によれば、ケーブルカバー４３を設けたことで、消火用ホース１７とケーブル１１との干渉を防止できる。
しかも、一辺を前面パネル５に回動可能に取り付けて、他辺側は消火栓扉９の回動軸７を跨ぐように延在すると共に、カバー体４５を消火栓扉９側に回動させる方向に常時付勢するようにし、消火栓扉９の開閉動作に連動する構造としたので、消火栓扉９の閉止時にはカバー体４５が筐体３内で出っ張ることがなく、筐体３の薄型化を阻害することもない。
【００３５】
［実施の形態３］
実施の形態３に係る消火栓装置５１の基本構成は、図５、図６に示すように、実施の形態１、２と同様であり、ケーブルカバーの構成のみが異なるので、以下においてはケーブルカバーについて説明する。なお、実施の形態１、２と同様の部分については、同一の符号を付して説明を省略する。
本実施の形態のケーブルカバー５３は、筒体を半割した形状を有し、消火用ホース１７の引き出し時にケーブル１１を覆うように配置されてケーブル１１に消火用ホース１７が当接するのを防止するためのものである点は、実施の形態１、２と同様である。
【００３６】
また、本実施の形態のケーブルカバー５３は、一辺側が消火栓扉９の下方の前面パネル５側に、消火栓扉９の回動軸７と平行な軸回りに回動可能に取り付けられ、他辺側が消火栓扉９の回動軸７を跨ぐように延在するカバー体４５を備える点は実施の形態２と同様である。
しかし、実施の形態２では、カバー体４５を消火栓扉９の扉側に回動させる方向に常時付勢する付勢手段を有するものであったが、本実施の形態のカバー体４５は、付勢手段に代えてカバー体４５の他辺側を常時消火栓扉９側に当接又は近接させた状態でガイドするガイド手段としてのガイドレール５５を備えたものである。
【００３７】
ガイドレール５５は、消火栓扉９の屈曲枠部４９に設けられ、カバー体４５の他辺を移動可能な状態で保持するものである。
なお、他辺には、実施の形態２と同様に摩擦軽減部材４７が設けられている。
【００３８】
上記のように構成された本実施の形態の消火栓装置５１について、消火栓扉９の開扉動作時のケーブルカバー５３の動作を図６に基づいて説明する。
カバー体４５は、一辺側が消火栓扉９の下方の前面パネル５側に回動可能に連結され、かつ他辺がガイドレール５５によって消火栓扉９側に近接保持されているので、消火栓扉９の閉止状態では、図６（ａ）に示すように、カバー体４５が消火栓扉９の回動軸７を跨ぐように配置されている。
【００３９】
消火栓扉９を開扉すると、図６（ｂ）に示すように、カバー体４５はその一辺が回動可能になっており、かつカバー体４５の他辺はガイドレール５５にガイドされているので、カバー体４５の他辺が常に消火栓扉９側と近接状態を維持した状態で消火栓扉９の開扉に追従する。
消火栓扉９の開扉動作時には、カバー体４５の他辺とガイドレール５５との当接面との位置が変わるように擦れるが、他辺に摩擦軽減部材４７が設けられていることで、円滑な動作が実現されている。
【００４０】
消火栓扉９が全開した状態では、図５、図６（ｃ）、に示すように、カバー体４５がケーブル１１を覆うように配置される。
ケーブル１１がカバー体４５に覆われるので、実施の形態１、２と同様に、消火用ホース１７を引き出したときに、消火用ホース１７とケーブル１１との干渉が防止される。また、ガイド手段がカバー体４５を常時消火栓扉９側に近接状態で保持しているので、消火用ホース１７によってカバー体４５を開く方向の力が作用しても、カバー体４５が開くことがない。さらに、カバー体４５には外方向に傾斜する傾斜面部４５ｂが設けられているので、消火用ホース１７の引き出しが円滑になっている点は実施の形態１、２と同様である。
【００４１】
以上のように、本実施の形態によれば、ケーブルカバー５３を設けたことで、消火用ホース１７とケーブル１１との干渉を防止できる。
しかも、実施の形態１、２と同様に、消火栓扉９の開閉動作に連動する構造であるため、消火栓扉９の閉止時にはカバー体４５が筐体３内で出っ張ることがなく、筐体３の薄型化を阻害することもない。
【００４２】
なお、本発明に係るケーブルカバー１５、４３、５３は実施の形態１〜３に示した形状等に限定されるものではなく、ケーブル１１に消火用ホース１７が当接するのを防止するためのケーブルカバーであって、一辺側が消火栓扉９側または筐体３側に回動可能に取り付けられ、他辺側が固定されず、消火栓扉９の開扉動作に連動すると共に消火栓扉９の開扉時において回動軸７を跨ぐ位置に配置されるカバー体を備えたものであればよい。
【００４３】
また、上記の実施の形態では消火栓扉９が全開状態で１８０°開くものであったが、本発明の消火栓装置１、４１、５１における消火栓扉９はこれに限られるものではなく、全開時の回動角度に制限はなく、例えば消火栓扉９が前面パネル５の下部に取り付けられ、全開時に９０°開くようなものであってもよい。
【００４４】
上記の説明は、消火活動時に消火用ホース１７とケーブル１１が干渉することによるケーブル１１の損傷を防止するというものであった。
しかし、ケーブル１１が損傷するケースとして、消火栓弁が筐体外の離れた位置に設けられ、それ故にケーブルの長さが長くなることでケーブル１１が損傷することがあるので、この原因と対策について触れておく。
【００４５】
ケーブル１１は、消火栓装置１に設けられた操作レバー１３による操作を消火栓弁に伝えるためのものであり、操作レバー１３によって直接回動する第１プーリーと、消火栓弁側に設けられてケーブル１１によって回動する第２プーリーとのそれぞれに巻き掛けされている。
また、ケーブル１１は、鋼線等のワイヤのみで構成されるのではなく、樹脂製のチューブ内にワイヤが挿通されて構成されているため、ケーブルが長くなると途中経路での湾曲箇所が多くなり、ワイヤと樹脂チューブの摩擦等による抵抗が大きくなる。このように抵抗が大きくなっても第２プーリーを回動させるのに必要な力はケーブル長が短い場合と同じなので、ケーブル長が長くなると第１プーリーを回動させる荷重を大きくする必要があり、その結果、ワイヤには大きな張力が発生して断線することも考えられる。
【００４６】
これに対する対策としては、抵抗等によってワイヤに発生する張力の増加分を、第２プーリーを作動せる荷重を小さくすることで相殺することが考えられる。第２プーリーの作動荷重を小さくするには、第２プーリーのプーリー径を大きくすればよい。
第２プーリーのプーリー径が大きくなると、同じ回動角度で第１プーリーを操作するには第１プーリーのプーリー径も大きくする必要がある。
しかし、消火栓装置は薄型化等が志向されており、筐体内のスペースが小さくなる傾向があるため、第１プーリーやこれを収納するプーリーボックスを大きくすることは得策ではない。
【００４７】
第１プーリーのプーリー径を小さいまま維持して、消火栓弁側の第２プーリーのプーリー径を大きくすれば、第１プーリーの回動角度を大きくする必要がある。
現在使用されている操作レバーの回動角度は、１８０°以下のものが一般的であり、このような回動角度であれば、例えば図１に示したように、消火栓扉９の扉面と平行な面に延出した把持部１３ａを把持して操作するものでも操作性を損なうことはない。
【００４８】
しかし、仮に回動角度が１８０°を超えて、例えば３６０°の場合には、図１に示すような操作レバー１３であれば、略１８０°回動した後、把持部１３ａを持ち替えて回動させる必要があり、操作性が悪くなる。
そこで、第１プーリーの回動角度が１８０°を超えるような場合には、例えば回転式ウィンチのハンドルのように、操作レバー１３の先端に消火栓扉９の扉面に直交する方向（操作レバー１３の延出方向に直交する方向）に突出させた突出部を設け、突出部に回動自在に挿入された把持部をさらに設けるようにすればよい。
このようにすれば、第１プーリーの回動角度が１８０°を超えるような場合でも、把持部を持ち替えることなく、操作レバーの回動操作をすることができる。
【００４９】
以上をまとめると、消火栓装置側の第１プーリーのプーリー径が消火栓弁側の第２プーリーのプーリー径よりも小さく、操作レバーの回動角度が例えば１８０°を超えるような場合には、操作レバーの先端に、操作レバーの延出方向に直交する方向に突出する突出部を設け、該突出部に回動自在に挿入された把持部をさらに設けるようにすれば、操作レバーの操作性を向上することができる。
【符号の説明】
【００５０】
１  消火栓装置（実施の形態１）
３  筐体
５  前面パネル
５ａ  開口部
７  回動軸
９  消火栓扉
１１  ケーブル
１３  操作レバー
１３ａ  把持部
１５  ケーブルカバー
１７  消火用ホース
１９  ホース収納部
２１  中央開口部
２５  帯板
２７  消火器
２９  消火器収納部
３３  消火ノズル
３５  ノズル固定部
３７  カバー体
３７ａ  係止片
３７ｂ  傾斜面部
３９  係止部
４１  消火栓装置（実施の形態２）
４３  ケーブルカバー
４５  カバー体
４５ｂ  傾斜面部
４７  摩擦軽減部材
４９  屈曲枠部
５１  消火栓装置（実施の形態３）
５３  ケーブルカバー
５５  ガイドレール
【図１】
2020080891.tif 000003
【図２】
2020080891.tif 000004
【図３】
2020080891.tif 000005
【図４】
2020080891.tif 000006
【図５】
2020080891.tif 000007
【図６】
2020080891.tif 000008